(57)【要約】本発明の衣類の織物のサイズを制御する方法は、伸張性の衣類織物を準備し、相対的に非伸張性のテープまたはひもを伸張性の衣類織物の端部近傍に取り付け、テープまたはひもがその後の処理において除去され得るかまたは伸張可能となる材料から作られることを特徴とする。【特許請求の範囲】
【請求項１】
伸張性の衣類織物を準備し、
相対的に非伸張性のテープまたはひもを前記伸張性の衣類織物の端部近傍に取り付けることを含み、
前記テープまたはひもがその後の処理において除去され得るかまたは伸張可能となる材料からなることを特徴とする、衣類の織物のサイズを制御する方法。
【請求項２】
前記テープまたはひもが、前記伸張性の衣類織物に、両者を同時にミシンに通すことによって取り付けられる請求項１記載の方法。
【請求項３】
前記テープまたはひもが水溶性材料からなり、衣類を洗濯することによって溶解する請求項１または２記載の方法。
【請求項４】
前記テープまたはひもが活性化により伸張可能となる熱活性化または蒸気活性化材料からなる請求項１または２記載の方法。
【請求項５】
前記水溶性繊維がポリビニルアルコール繊維である請求項３記載の方法。
【請求項６】
前記繊維が低融点ポリアミド繊維である請求項４記載の方法。
【請求項７】
前記伸張性の織物が前記テープまたはひもに対してバイアにカットされる請求項１から６のいずれか一項に記載の方法。
【請求項８】
前記伸張性の織物が非伸張性織物繊維からなり、前記織物が、前記テープまたはひもに対してバイアスであることによって、前記テープまたはひもの線に沿って伸張可能である請求項７記載の方法。
【請求項９】
前記衣類織物が前記テープまたはひもの取り付け前に部分的に伸張される請求項１から８のいずれか一項に記載の方法。
【請求項１０】
請求項１から９のいずれか一項に記載の方法において、
伸張性のウエストバンドを準備すること、
前記ひもまたはテープで固定された縫製された織物の端部を前記伸張性のウエストバンドに接続すること、及び
得られた衣類の前記ひもまたはテープを除去するためのその後の処理をさらに含む、請求項１から９のいずれか一項に記載の方法。
【請求項１１】
相対的に非伸張性のテープまたはひもによって長さが固定された一端部を有する伸張性の衣類織物であって、前記テープまたはひもがその後の処理によって除去され得るかまたは伸張可能となる材料から作られる伸張性の衣類織物。
【請求項１２】
相対的に非伸張性のテープまたはひもによって長さが固定された一端部を有する伸張性の衣類織物であって、前記テープまたはひもがその後の処理によって除去され得るかまたは伸張可能となる材料から作られる伸張性の衣類織物、及び
伸張性のウエストバンドからなる衣類であって、前記テープまたはひもによって固定された前記衣類織物の前記一端部が前記ウエストバンドに取り付けられる衣類。
【請求項１３】
実質的に前述された方法。
【請求項１４】
実質的に前述された伸張性の衣類織物。
【請求項１５】
実質的に前述された衣類。
【発明の詳細な説明】
【技術分野】
【０００１】
本発明は、衣類の織物のサイズを制御する方法及びその方法で製造される衣類に関する。特に、伸張性の織物が、相対的に非伸張性のひもまたはテープによって固定された長さの端部を付与され、ひもまたはテープがその後の処理によって除去され得るかまたは伸張可能となる材料から作られる方法に関する（ただし、これに限定されない）。
【背景技術】
【０００２】
ほとんどまたは全く収縮しないウエストバンドを製造する方法が知られている（例えば、特許文献１に開示された例）。これは、ウエストバンドが洗濯前に正確に寸法合わせされていれば洗濯後も正確に寸法合わせされることになるため、衣類製造業者にとって有用である。
【０００３】
衣類の製造中、衣類の織物は衣類のウエストバンドに取り付けられる。しかし、伸張性のウエストバンドは、伸張性の衣類織物を用いた衣類の製造中に歪むことがある。伸張性の衣類織物をウエストバンドに取り付ける際、不注意により衣類織物に力がかかり、それを伸張させる場合がある。ウエストバンドへの取り付け後、衣類織物が弛緩すると、ウエストバンドが歪んでしまう。
【０００４】
伸張を防止するために衣類織物に非伸張性の安定化ひも(cord)を付加することは、衣類織物及び得られる衣類に取り付けられたウエストバンドの伸張を妨げることになるため、適当ではない。
【先行技術文献】
【特許文献】
【０００５】
【特許文献１】欧州特許第０７０５３３６号公報
【発明の概要】
【発明が解決しようとする課題】
【０００６】
本発明は、この課題を解決することを目的とする。
【課題を解決するための手段】
【０００７】
従って、第１の態様では、本発明は、衣類の織物のサイズを制御する方法を提供し、当該方法は、伸張性の衣類織物を準備し、相対的に非伸張性のテープまたはひもを前記伸張性の衣類織物の端部近傍に取り付けることを含み、前記テープまたはひもがその後の処理において除去され得るかまたは伸張可能となる材料からなることを特徴とする。
【０００８】
好ましくは、テープまたはひもは、伸張性衣類織物に、両者を同時にミシンに通すことによって取り付けられる。
好ましくは、テープまたはひもは、水溶性材料からなり、衣類を洗濯することによって溶解する。
または、テープまたはひもは、活性化により伸張可能となる熱活性化または蒸気活性化材料からなる。
【０００９】
水溶性繊維は、ポリビニルアルコール（ＰＶＡ）繊維であってよい。
前記繊維は、低融点ポリアミド繊維であってよい。
好ましくは、伸張性織物は、テープまたはひもに対して斜め(bias)にカットされる。
【００１０】
伸張性織物は、非伸張性織物繊維からなってよく、その織物は、テープまたはひもに対してバイアスであることによって、テープまたはひもの線に沿って伸張可能である。
衣類の織物は、ひもまたはテープの取り付け前に部分的に伸張されてもよい。
【００１１】
好ましくは、この方法は、伸張性のウエストバンドを準備すること、テープまたはひもにより固定された縫製織物の端部を前記伸張性のウエストバンドに接続すること、及び得られた衣類のひもまたはテープを除去するためのその後の処理をさらに含む。
【００１２】
さらに本発明の別の態様では、相対的に非伸張性のテープまたはひもによって長さが固定された一端部を有する伸張性の衣類織物であって、テープまたはひもが、その後の処理によって除去され得るかまたは伸張可能となる材料から作られる伸張性の衣類織物が提供される。
【００１３】
さらに本発明の別の態様では、相対的に非伸張性のテープまたはひもによって長さが固定された一端部を有する伸張性の衣類織物であって、テープまたはひもが、その後の処理によって除去され得るかまたは伸張可能となる材料から作られる伸張性の衣類織物、及び伸張性のウエストバンドを含む衣類であって、テープまたはひもによって固定された前記衣類織物の前記一端部が前記ウエストバンドに取り付けられる衣類が提供される。
以下に、非限定的な例示により、添付の図面を参照しながら、本発明を詳細に説明する。
【図面の簡単な説明】
【００１４】
【図１】製造中に端部がわずかに伸張された伸張性の織物を示す。
【図２】ウエストバンドに接続された図１の衣類織物を示す。
【図３】一端が非伸張性のひもまたはテープで固定された伸張性の織物を示す。
【図４】伸張性のウエストバンドに接続された図３の伸張性の織物を示す。
【実施例】
【００１５】
ウエストバンド２を含む従来の衣類１は、通常、衣類織物３を衣類ウエストバンド２に接続することによって製造される。これは通常、衣類ウエストバンド２を衣類織物３と共にミシンに通すことによって達成される。衣類織物３がミシンに通される際、不注意によって、衣類織物３の端部４に沿って長手方向の力がかかることがある。これは、図１に示すように、衣類織物３のわずかな伸張をもたらす。
【００１６】
共に縫い付けられた後、衣類織物３はその自然長まで弛緩する。これによって、図２に示すように、ウエストバンド２が歪む。これは衣類製造業者にとって望ましくないことになり得る。
【００１７】
図３、４に本発明にかかる方法の実施態様を示す。まず、非伸張性のひもまたはテープ５が、衣類織物の端部４に取り付けられる。これは通常、織物３とひもまたはテープ５とを同時にミシンに通すことによって達成される。
【００１８】
ひもまたはテープ５が取り付けられた後、衣類織物３は、伸張性のウエストバンド２に接続される。ひもまたはテープ５は、接続中の衣類織物３の伸張を防止する作業補助として機能する。
【００１９】
衣類織物３とウエストバンド２との接続後、衣類１が製造されると、得られた衣類１は、図４に示すように、ひもまたはテープ５を除去するように更なる処理が施される。得られた衣類１及び関連する衣類織物３のウエストバンド２は、着用時、必要に応じて自由に伸張する。
【００２０】
本発明の本実施形態においては、ひもまたはテープ５は、ポリビニルアルコール（ＰＶＡ）のような非伸張性の水溶性材料である。ＰＶＡ繊維は、最初の洗濯によって溶解し、それによってウエストバンド２と衣類織物３が伸張する。
【００２１】
本発明の別の実施態様では、ひもまたはテープ５は、熱または蒸気によって活性化され、活性化によって伸張可能となる繊維、例えば、低融点ポリアミド繊維から作られる。衣類１は、その製造後プレスされることにより、繊維が活性化され伸張性となる。
【００２２】
衣類織物３は、伸張性の織物繊維から作られ、また、非伸張性の織物繊維からも作られる。この場合、織物３は、テープまたはひも５及びウエストバンド２に対してバイアスにカットされ、これによって織物３はウエストバンド２の長さ方向に伸張する。
【００２３】
テープまたはひも５は通常、衣類織物３に、衣類織物３が自然な（言い換えれば、伸張も圧縮もされていない）状態で取り付けられ、衣類織物３が弛緩した際の衣類織物３の端部４の長さの変化が最小限に維持される。このことは、伸張性のウエストバンド２が洗濯時に収縮しない場合に特に有用である。
【００２４】
しかし、本方法は、洗濯時に収縮する伸張性のウエストバンド２への使用にも適している。そのようなウエストバンド２を含む衣類１の製造に際して、衣類織物３は、ひもまたはテープ５が適用される前にわずかに伸張され、続いて、ウエストバンド２に取り付けられる。
【００２５】
その後の処理において、衣類織物３は弛緩する。織物３が正確な量だけ伸張されていれば、その弛緩はウエストバンド２の収縮を補償し、それによって歪みのない衣類１が得られる。
【符号の説明】
【００２６】
１：衣類、２：ウェストバンド、３：織物、４：端部、５：ひも又はテープ
【図１】
2010519430.tif 000002
【図２】
2010519430.tif 000003
【図３】
2010519430.tif 000004
【図４】
2010519430.tif 000005
【国際調査報告】
2010519430.tif 000006
2010519430.tif 000007